(57)【特許請求の範囲】
【請求項１】
所定の情報発信装置から発信されるユーザ通知情報を中継する中継装置と無線通信を介して通信する無線通信端末であって、
前記中継装置に、前記無線通信端末の休止時間に関する情報およびキャリアセンス回数に関する情報を要求するための送信要求を送信する送信部と、
前記中継装置が前記情報発信装置から前記ユーザ通知情報を受信した場合に前記中継装置から送信される前記ユーザ通知情報と、前記要求情報を前記中継装置が受信するに応じて前記中継装置から返信される応答情報であって、前記休止時間に関する情報および前記キャリアセンス回数に関する情報を含む応答情報とを受信する受信部と、
前記受信部が前記応答情報を受信した場合に、前記応答情報に含まれる前記休止時間の間、前記無線通信端末を休止状態にさせる休止状態調整部と、
前記休止状態の間の所定のタイミングで前記休止状態を中断することにより、前記休止状態中に前記キャリアセンス回数分のキャリアセンスを実行するキャリアセンス調整部と、
前記キャリアセンスを実行している間に前記受信部が前記ユーザ通知情報を受信した場合に、受信した前記ユーザ通知情報を通知する通知部と、を備える、
ことを特徴とする無線通信端末。
【請求項２】
前記休止状態調整部は、
前記応答情報に含まれる前記休止時間および前記キャリアセンス回数を用いて前記休止
状態を中断するまでの時間を求め、
前記キャリアセンス調整部は、前記休止状態を中断するまでの時間が経過する毎に前記
キャリアセンスを実行する、
請求項１に記載の無線通信端末。
【請求項３】
前記受信部は、前記ユーザ通知情報を受信した場合、前記ユーザ通知情報に含まれる識
別情報と前記自装置の前記識別情報とを比較し、両者が一致しない場合に、受信した前記
ユーザ通知情報を破棄する、
請求項１又は請求項２に記載の無線通信端末。
【請求項４】
前記ユーザ通知情報には、当該ユーザ通知情報の重要度を示す情報が付与されており、
前記通知部は、前記重要度に応じて前記ユーザ通知情報の通知方法を制御する、
請求項１乃至請求項３のいずれか１項に記載の無線通信端末。
【請求項５】
前記休止状態調整部は、前記重要度に応じて前記休止時間を調整し、
前記キャリアセンス調整部は、前記重要度に応じて前記キャリアセンス回数を調整する、
請求項４に記載の無線通信端末。
【請求項６】
前記送信部は、前記送信要求を送信してから一定時間内に前記受信部が前記応答情報を受信しなかった場合、予め定められた時間休止状態となった後、前記送信要求を前記中継装置に再送する、
請求項１乃至請求項５のいずれか１項に記載の無線通信端末。
【請求項７】
前記送信部が前記送信要求を送信してから前記受信部が前記応答情報を受信するまでに、前記受信部が前記ユーザ通知情報を受信した場合、
前記通知部は前記ユーザ通知情報を通知し、
前記休止状態調整部は、前記受信部が前記ユーザ通知情報を受信してから前記通知部が前記ユーザ通知情報を通知するまでに、前記無線通信端末を休止状態にさせない、
請求項１乃至請求項６のいずれか１項に記載の無線通信端末。
【請求項８】
前記要求情報には、前記無線通信端末の識別情報および稼動時間が含まれ、
前記中継装置は、前記識別情報および前記稼働時間を用いて前記休止時間および前記キャリアセンス回数を特定する、
請求項１乃至請求項７のいずれか１項に記載の無線通信端末。
【請求項９】
前記ユーザ通知情報はリコール情報である、
請求項１乃至請求項８のいずれか１項に記載の無線通信端末。
【請求項１０】
無線通信を介して接続される各無線通信端末の識別情報および稼動時間に対応させて、各無線通信端末の休止時間およびキャリアセンス回数を記録した休止テーブルを記憶部する記憶部と、
無線通信を介して接続される所定の無線通信端末から、前記所定の無線通信端末の識別情報および前記無線通信端末の稼動時間に関する情報を含む送信要求を受信し、且つ、所定の情報発信装置から、前記所定の無線通信端末に通知するためのユーザ通知情報を受信する受信部と、
前記受信部で受信された前記ユーザ通知情報を管理する管理部と、
前記送信要求に含まれる前記識別情報および前記稼働時間を用いて、前記休止テーブルから前記所定の通信端末の休止時間およびキャリアセンス回数を特定し、特定された前記休止時間およびキャリアセンス回数が付与された応答情報を生成する情報生成部と、
前記受信部が前記送信要求を受信したときに、前記管理部に前記ユーザ通知情報が記録されていない場合、前記応答情報を前記所定の無線通信端末に送信する送信部と、を備える、
ことを特徴とする中継装置。
【請求項１１】
前記受信部が前記送信要求を受信したときに、前記管理部に前記ユーザ通知情報が記録されている場合、前記送信部は、前記ユーザ通知情報を前記所定の無線端末装置に送信する、
請求項１０記載の中継装置。
【請求項１２】
前記ユーザ通知情報には、送信対象となる前記無線通信端末の識別情報が含まれ、
前記中継装置は、さらに、
前記ユーザ通知情報を受信すると、前記要求情報に含まれる前記識別情報と前記ユーザ通知情報に含まれる識別情報とを比較し、両者が一致した場合に前記ユーザ通知情報を前記所定の端末に送信する識別情報比較部を備える、
請求項１１に記載の中継装置。
【請求項１３】
前記中継装置は、さらに、前記情報発信装置から新規の前記休止テーブルを受信して前記記憶部に記憶されている休止テーブルを更新するテーブル管理部を備える、
請求項１０乃至請求項１２のいずれか１項に記載の中継装置。
【請求項１４】
前記ユーザ通知情報には、当該ユーザ通知情報の重要度が付与されており、
前記送信部は、前記重要度を含むユーザ通知情報を前記所定の無線通信端末に送信する、
請求項１０乃至請求項１３のいずれか１項に記載の中継装置。
【請求項１５】
所定の情報発信装置と、前記所定の情報発信装置から発信されるユーザ通知情報を中継する中継装置と、前記中継装置と無線通信を介して通信する無線通信端末とを備える無線通信システムであって、
前記所定の情報発信装置は、
前記ユーザ通知情報を送信する第１の送信部を備え、
前記無線通信端末は、
前記中継装置に、前記無線通信端末の休止時間に関する情報およびキャリアセンス回数に関する情報を要求するための要求情報を送信する第２の送信部と、
前記中継装置が前記情報発信装置から前記ユーザ通知情報を受信した場合に前記中継装置から送信される前記ユーザ通知情報と、前記送信要求を前記中継装置が受信するに応じて前記中継装置から返信される応答情報であって、前記休止時間に関する情報および前記キャリアセンス回数に関する情報含む応答情報とを受信する受信部と、
前記受信部が前記応答情報を受信した場合に、前記応答情報に含まれる前記休止時間の間、前記無線通信端末を休止状態にさせる休止状態調整部と、
前記休止状態の間の所定のタイミングで前記休止状態を中断することにより、前記休止状態中に前記キャリアセンス回数分のキャリアセンスを実行するキャリアセンス調整部と、
前記キャリアセンスを実行している間に前記受信部が前記ユーザ通知情報を受信した場合に、受信した前記ユーザ通知情報を通知する通知部と、を備え、
前記中継装置は、
各無線通信端末の識別情報および稼動時間に対応させて、各無線通信端末の休止時間およびキャリアセンス回数を記録した休止テーブルを記憶する記憶部と、
前記無線通信端末から前記送信要求を受信し、且つ、前記情報発信装置から前記無線通信端末に通知するためのユーザ通知情報を受信する第２の受信部と、
前記第２の受信部で受信された前記ユーザ通知情報を管理する管理部と、
前記要求情報に含まれる前記識別情報および前記稼働時間を用いて、前記休止テーブルから前記無線通信端末の休止時間およびキャリアセンス回数を特定し、特定された前記休止時間およびキャリアセンス回数が付与された応答情報を生成する情報生成部と、
前記第２の受信部が前記送信要求を受信したときに前記管理部に前記ユーザ通知情報が記録されていない場合、前記応答情報を前記無線通信端末に送信する第３の送信部と、を備える
ことを特徴とする無線通信システム。
【請求項１６】
前記所定の情報発信装置は、さらに、
各無線通信端末の識別情報および稼動時間に対応させて、各無線通信端末の休止時間およびキャリアセンス回数を記録した休止テーブルを保持する保持部を備え、
前記第１の送信部は、さらに、前記保持部に保持された前記休止テーブルを前記中継装置に送信する
請求項１５に記載の無線通信システム。
【請求項１７】
所定の情報発信装置から発信されるユーザ通知情報を中継する中継装置と無線通信を介して通信する無線通信端末の通信方法であって、
前記無線通信端末は、
前記中継装置に、前記無線通信端末の休止時間に関する情報およびキャリアセンス回数に関する情報を要求するための送信要求を送信し、
前記中継装置が前記情報発信装置から前記ユーザ通知情報を受信した場合に前記中継装置から送信される前記ユーザ通知情報を受信し、
前記要求情報を前記中継装置が受信するに応じて前記中継装置から返信される応答情報であって、前記休止時間に関する情報および前記キャリアセンス回数に関する情報を含む応答情報を受信し、
前記応答情報を受信した場合に、前記応答情報に含まれる前記休止時間の間、前記無線通信端末を休止状態とし、
前記休止状態の間の所定のタイミングで前記休止状態を中断することにより、前記休止状態中に前記キャリアセンス回数分のキャリアセンスを実行し、
前記キャリアセンスを実行している間に前記ユーザ通知情報を受信した場合に、受信した前記ユーザ通知情報を通知する
ことを特徴とする通信方法。
【発明の詳細な説明】
【技術分野】
【０００１】
本発明は、無線タグシステムに関する。
【背景技術】
【０００２】
＜背景＞
近年、家電機器の高機能化に伴い、ユーザによる故障の原因特定や対処が困難になってきている。さらに、長期間使用することによる部品の劣化等により、事故につながるケースもある。そのため、家電機器メーカーは、迅速なサポートを行う必要がある。このような中で、家電機器メーカーがリコール情報を通知する手段として、無線タグを使うことが考えられる。
【０００３】
無線タグを使ったリコール情報の通知システムは、まず、各家庭内の家電機器に無線タグが取り付けられている。家電機器の問題が発生し、リコール情報を通知する必要がある時、サービスマンが無線発信機を携帯して地域を巡回する。サービスマンに限らず、家電販売店の店員等が、家電を配達する際に無線発信機を携帯してもよい。巡回中、無線発信機がリコール情報を無線で発信しており、家電機器に取り付けられた無線タグが受信すると、音声や表示パネルでユーザに警告を告知する。このようにすることで、ユーザは、より早く、使用している家電機器のリコール情報を知り、対処することができるようになる。
【０００４】
このようなシステムにおいて、家電機器の中には、例えば冷蔵庫のように、常時通電されている機器もあるが、例えば扇風機や電気ストーブのように、一定期間しか通電されていない機器もある。そのため、非常時通電家電に取り付ける無線タグは、電池駆動であることが考えられる。しかし、家電機器は、十年以上の長期間使用することもあるため、その期間、常にリコール情報を受信できるようにする必要があり、電池寿命が問題となる。
【０００５】
＜従来技術＞
従来は、無線を受信する無線局Ａが無線を送信する無線局Ｂへ休止時間を通知することで、無線局Ｂは、無線局Ａの受信時間に合わせてデータを送信することができ、無線局Ａ、Ｂの消費電力を抑制する方法がある（例えば、特許文献１参照）。
【０００６】
さらに、無線タグは、送受信装置へアップロードする上りデータの電波送信を１回（または所定回数）行う毎に、送受信装置からダウンロードする下りデータの無線受信を所定時間だけ行う方法がある（例えば、特許文献２参照）。
【特許文献１】特開平１１−０２７１９７号公報
【特許文献２】特開２００５−２６８８３７号公報
【発明の開示】
【発明が解決しようとする課題】
【０００７】
＜特許文献１の課題＞
しかしながら、上記特許文献１に示す構成では、消費電力の点は改善が期待できるが、無線局Ｂが無線局Ａにデータを送信する必要が生じた時に、無線局Ａが休止状態であれば、無線局Ｂは、無線局Ａが受信状態になるまで待機する必要があり、無線局Ｂでのデータ送信要求が発生してから無線局Ａがデータを受信するまでに時間がかかることがある、という課題がある。
【０００８】
＜特許文献２の課題＞
そして、上記特許文献２に示す構成では、無線タグが送受信装置へ上りデータをアップロードする電波送信間隔の決定方法がないため、送受信装置で下りデータの送信要求が発生してから、無線タグが下りデータを受信するまでに時間がかかることがある。さらに、下りデータがない場合も無線タグは上りデータを送信すると共に、一定時間受信状態になるため、電力を消費してしまう、という課題がある。
【課題を解決するための手段】
【０００９】
上記従来の課題を解決するために、本発明に係る無線通信端末は、所定の情報発信装置から発信されるユーザ通知情報を中継する中継装置と無線通信を介して通信する無線通信端末であって、前記中継装置に、前記無線通信端末の休止時間に関する情報およびキャリアセンス回数に関する情報を要求するための送信要求を送信する送信部と、前記中継装置が前記情報発信装置から前記ユーザ通知情報を受信した場合に前記中継装置から送信される前記ユーザ通知情報と、前記要求情報を前記中継装置が受信するに応じて前記中継装置から返信される応答情報であって、前記休止時間に関する情報および前記キャリアセンス回数に関する情報を含む応答情報とを受信する受信部と、前記受信部が前記応答情報を受信した場合に、前記応答情報に含まれる前記休止時間の間、前記無線通信端末を休止状態にさせる休止状態調整部と、前記休止状態の間の所定のタイミングで前記休止状態を中断することにより、前記休止状態中に前記キャリアセンス回数分のキャリアセンスを実行するキャリアセンス調整部と、前記キャリアセンスを実行している間に前記受信部が前記ユーザ通知情報を受信した場合に、受信した前記ユーザ通知情報を通知する通知部と、を備える、ことを特徴とする無線通信端末、又は所定の情報発信装置から無線通信を介して送信されるユーザ通知情報を中継する中継装置に、自装置の休止時間に関する情報およびキャリアセンス回数に関する情報を要求するための要求情報を送信する送信部と、前記ユーザ通知情報と、前記要求情報を前記中継装置が受信するに応じて前記中継装置から返信される応答情報であって、前記休止時間を示す情報および前記キャリアセンス回数を示す情報を含む応答情報とを受信する受信部と、前記受信部が前記応答情報を受信した場合に、前記応答情報に含まれる前記休止時間の間、自装置を休止状態にさせる休止状態調整部と、前記休止状態の間の所定のタイミングで前記休止状態を中断することにより、前記休止状態中に前記キャリアセンス回数分のキャリアセンスを実行するキャリアセンス調整部と、前記キャリアセンスを実行している間に前記受信部が前記ユーザ通知情報を受信した場合に、受信した前記ユーザ通知情報を通知する通知部と、を備えることを特徴とする無線通信端末である。
【発明の効果】
【００１０】
本発明に係る無線タグシステムにおいては、非常時通電家電側タグの消費電力を抑制し、且つ、より早くリコール情報を受信することができる。
【発明を実施するための最良の形態】
【００１１】
以下、本発明に係る無線タグシステムの実施の形態について、図面を参照しながら説明する。
【００１２】
（実施の形態１）
＜全体＞
本発明に係る第１の実施の形態としての無線タグシステムについて説明する。最初に、図１を用いて本実施形態の概要を説明する。
【００１３】
本実施の形態１における無線タグシステムは、家１、非常時通電家電２、３、４、無線タグ装置５、６、７、無線８、常時通電家電９、無線中継装置１０、無線情報発信装置１１、無線１２から構成される。非常時通電家電２、３、４は、例えば扇風機、ドライヤー、電気ストーブであり、季節や時間帯によっては使用せず、電力が供給されない家電機器である。非常時通電家電２、３、４に組み込まれている無線タグ装置５、６、７は、電池駆動となっている。無線８、及び無線１２は、例えば４００ＭＨｚ帯の特定小電力無線や、２．４ＧＨｚ、５ＧＨｚ帯の無線ＬＡＮなどがある。常時通電家電９は、例えば冷蔵庫であり、常時稼動して、電力が供給されていることが想定される家電機器である。常時通電家電９に組み込まれている無線中継装置１０は、常時通電家電９から供給される電力で動作する。
【００１４】
本実施の形態１におけるシーケンスを図２に示す。例として、無線タグ装置５の動作を上げるが、他の無線タグ装置６、７についても同様である。
【００１５】
無線タグ装置５は、自身の型番と稼働時間を含む送信要求情報を無線８で送信する（Ｓ１００）。送信要求情報のフレーム例を図３に示す。型番１００には無線タグ装置５の型番が、稼働時間１０１には無線タグ装置５の稼働時間が格納されている。
【００１６】
常時通電家電９に組み込まれている無線中継装置１０は、送信要求情報を受信すると、含まれている型番、稼働時間から休止時間、キャリアセンス回数を算出して（Ｓ１０１）、休止時間、キャリアセンス回数を含む応答情報を無線８で送信する（Ｓ１０２）。無線中継装置１０は、稼働時間から休止時間とキャリアセンス回数を算出する休止テーブルをあらかじめ保持している。この休止テーブルは、無線タグ装置の型番毎に保持している。無線中継装置１０が保持している無線タグ装置５の休止テーブルの例を図４に示す。無線中継装置１０は、受信した図３の送信要求情報の型番１００と一致する休止テーブルを検索して、稼動時間１０１と図４の稼動時間１０２から休止時間１０３とキャリアセンス回数１０４を決定する。ここでは、稼働時間１０１が約７年とすると、休止時間１０３は３日、キャリアセンス回数は１回となる。応答情報のフレーム例を図５に示す。休止時間１０５には休止時間１０３の値（３日＝０ｘ３Ｆ４８０秒）が、キャリアセンス回数１０６には、キャリアセンス回数１０４（１回＝０ｘ０１回）が格納される。
【００１７】
無線タグ５は、応答情報を受信すると、休止時間１０３の間、休止状態になる（Ｓ１０３）。休止時間中にキャリアセンス回数１０４の分だけ、休止状態を中断してキャリアセンスを行い、無線８による電波があるか否かをチェックする（Ｓ１０４）。休止時間１０３は３日、キャリアセンス回数１０４は１回であるため、無線タグ５は、応答情報受信後、１．５日間休止状態となった後、キャリアセンスを行い、再び１．５日休止状態になる。休止状態終了後は、Ｓ１００からＳ１０４のシーケンスと同様に、送信要求情報を送信して応答情報を受信し、休止状態になる（Ｓ１０５〜Ｓ１０８）。
【００１８】
一方で、非常時通電家電２に対して障害が判明し、リコール情報を配信する必要になった場合（Ｓ１０９）、無線情報発信装置１１は、リコール対象製品の型番を含むリコール情報を無線１２で送信する（Ｓ１１０）。この無線情報発信装置は、家電機器メーカーのサービスマンや家電販売店の店員が携帯して地域を巡回する。リコール情報のフレーム例を図６に示す。型番１０７には、リコール対象製品である、非常時通電家電２に組み込まれた無線タグ装置５の型番が含まれる。リコール情報１０８には、異常コードなどを示すコードが含まれる。
【００１９】
無線中継装置１０は、リコール情報を受信すると（Ｓ１１１）、無線８でリコール情報を連続で送信し続ける（Ｓ１１２）。尚、リコール情報の送信は、連続だけでなく、一定周期やランダム周期、無線タグ装置５のキャリアセンスタイミングに合わせて送信するなどしてもよい。
【００２０】
無線タグ５は、キャリアセンスのタイミングで無線８による電波があることを検知し、リコール情報を受信する（Ｓ１１３）。リコール情報を受信したら、音声や文字、画像で警告をユーザへ通知する（Ｓ１１４）。無線タグ６、７も同様に無線８からリコール情報を受信するが、型番１０７が自身の型番と異なるため、受信したリコール情報を破棄して通知は行わない。
【００２１】
＜装置毎の説明＞
以下、各装置の動作について説明する。
【００２２】
＜無線タグ装置５、６、７＞
図７は、本実施の形態１における無線タグ装置５の構成図である。無線タグ装置６、７も同様の構成である。
【００２３】
無線タグ装置５は、送受信部５００、休止時間調整部５０１、キャリアセンス調整部５０２、リコール情報処理部５０３、型番保持部５０４、稼働時間保持部５０５、告知部５０６から構成される。
【００２４】
型番保持部５０４は、自身の型番を、稼働時間保持部５０５は、稼働時間をそれぞれ保持している。送受信部５００は、無線８で、送信要求情報要求を送信し、応答情報、およびリコール情報を受信する。休止時間調整部５０１は、受信した応答情報より、休止時間を決定し、休止状態になる。キャリアセンス調整部５０２は、受信した応答情報より、キャリアセンス回数を決定し、キャリアセンスを行う。リコール情報処理部５０３は、受信したリコール情報の型番と、自身の型番を照合する。告知部５０６は、ユーザへリコール情報を通知する。
【００２５】
無線タグ装置５のフローチャートを図８に示す。
【００２６】
送受信部５００は、型番保持部５０４が保持している型番５０４と稼働時間保持部５０５が保持する稼働時間を含む送信要求情報要求を送信する（Ｓ１０００）。
【００２７】
送受信部５００がリコール情報を受信せず（Ｓ１００１のＮ）、応答情報を受信した場合（Ｓ１００２のＹ）、受信した応答情報から休止時間、キャリアセンス回数を取得する（Ｓ１００３）。受信した応答情報が図５の場合、休止時間１０５は３日、キャリアセンス回数１０６は１回であるため、Ｓ１００３で取得する休止時間は、
休止時間１０５÷（キャリアセンス回数１０６＋１）＝１．５日
となる。
【００２８】
送受信部５００が応答情報を受信できなかった場合（Ｓ１００２のＮ）、一定時間をおいて（Ｓ１０１１）送信要求情報を再度送信するシーケンスに戻る（Ｓ１０００）。
【００２９】
休止時間、キャリアセンス回数取得後は、休止時間調整部５０１は、取得した休止時間に従って休止状態に入る（Ｓ１００４）。この例では、１．５日休止状態になる。マイコンを休止状態にするため、消費電力を抑制することができる。
【００３０】
キャリアセンス調整部５０２は、キャリアセンス回数が０でない場合（Ｓ１００５のＹ）、キャリアセンス回数を１減らし、キャリアセンスを行う（Ｓ１００６）。
【００３１】
キャリアセンス調整部５０２がキャリアセンスを行った結果、送信電波がなかった場合（Ｓ１００７のＮ）、休止時間調整部５０１を、再び休止状態Ｓ１００４にする。
【００３２】
キャリアセンスの結果、送信電波があった場合（Ｓ１００７のＹ）、リコール情報を受信する（Ｓ１００８）。
【００３３】
Ｓ１００１のＹ、もしくはＳ１００８でリコール情報を受信した時、リコール情報処理部５０３は、リコール情報中の型番と自身の型番を照合して、一致した場合（Ｓ１００９のＹ）、告知部５０６がユーザへ通知する（Ｓ１０１０）。このように、休止状態を中断してキャリアセンスを行うことで、無線情報発信装置１１のリコール情報発生から、より早くリコール情報を受信してユーザへ通知することができる。
【００３４】
型番が一致しなかった場合（Ｓ１００９のＮ）、一定時間をおいて（Ｓ１０１２）送信要求情報要求を送信するシーケンスに戻る（Ｓ１０００）。
【００３５】
＜無線中継装置１０＞
図９は、本実施の形態１における無線中継装置１０の構成図である。
【００３６】
無線中継装置１０は、送受信部１０００、休止時間算出部１００１、リコール情報管理部１００２、休止テーブル保持部１００３から構成される。
【００３７】
休止テーブル保持部１００３は、図４で示した稼働時間毎の休止テーブルを保持している。この休止テーブルは、無線タグ装置の型番の数だけ保持している。本実施例では、無線タグ装置５、６、７の３つの休止テーブルを保持していることになる。送受信部１０００は、無線１２よりリコール情報を受信し、無線８より送信要求情報を受信し、応答情報、リコール情報を送信する。休止時間算出部１００１は、送信要求情報を受信すると、型番、稼動時間より、休止テーブル保持部１００３が保持している休止テーブルより、休止時間とキャリアセンス回数を算出する。リコール情報管理部１００２は、リコール情報を受信し、記録する。
【００３８】
無線中継装置１０のフローチャートを図１０に示す。
【００３９】
送受信部１０００が無線情報発信装置からリコール情報を受信した場合（Ｓ２０００のＹ）、リコール情報管理部１００２がリコール情報を記録し（Ｓ２００１）、無線タグ装置５へリコール情報を送信する（Ｓ２００２）。
【００４０】
送受信部１０００がリコール情報を受信せず（Ｓ２０００のＮ）、送信要求情報を受信した場合（Ｓ２００３のＹ）、リコール情報管理部１００２がリコール情報を記録している場合は（Ｓ２００４のＹ）、リコール情報を送信し（Ｓ２００５）、リコール情報管理部１００２がリコール情報を記録していない場合は（Ｓ２００４のＮ）、休止時間算出部１００１は、送信要求情報に含まれる図３の型番１００、稼働時間１０１と休止テーブル保持部１００３が保持している休止テーブルから図４の休止時間１０３、キャリアセンス回数１０４を算出して（Ｓ２００６）、図５の応答情報を送信する（Ｓ２００７）。
【００４１】
送受信部１０００がリコール情報も送信要求情報も受信しておらず（Ｓ２０００のＮ、Ｓ２００３のＮ）、リコール情報管理部１００２がリコール情報を記録している場合は（Ｓ２００８のＹ）、リコール情報を送信する（Ｓ２００９）。リコール情報管理部１００２が、リコール情報を記録していない場合は（Ｓ２００８のＮ）、最初のリコール情報受信判定のシーケンスに戻る（Ｓ２０００）。
【００４２】
尚、リコール情報管理部１００２は、Ｓ２００３のＹで受信した図３の送信要求情報に含まれる型番１００と、Ｓ２００４のＹで記録している図６のリコール情報に含まれる型番１０７が一致しない場合、Ｓ２００５でリコール情報を送信しなくてもよい。
【００４３】
尚、リコール情報管理部１００２は、Ｓ２００３のＹで受信した図３の送信要求情報に含まれる型番１００を記録し、Ｓ２００２、Ｓ２００５、Ｓ２００９の前に、記録している図６のリコール情報に含まれる型番１０７と記録した型番１００を照合し、一致しない場合、リコール情報を送信しなくてもよい。
【００４４】
＜無線情報発信装置１１＞
図１１は、本実施の形態１における無線情報発信装置１１の構成図である。
【００４５】
無線情報発信装置１１は、送信部１１００、リコール情報保持部１１０１から構成される。
【００４６】
リコール情報保持部１１０１は、リコール情報を保持している。
【００４７】
送信部１１００は、無線１２よりリコール情報を送信する。
【００４８】
無線情報発信装置１１のフローチャートを図１２に示す。
【００４９】
送信部１１００は、リコール情報保持部１１０１が保持しているリコール情報を無線１２で送信する（Ｓ３０００）。
【００５０】
尚、送信部１１００は、連続送信だけでなく、一定周期、ランダム周期でリコール情報を送信してもよい。
【００５１】
以上のように、本実施の形態１により、無線タグ装置が稼働時間に応じた休止時間を設定し、且つ、休止時間中にキャリアセンスのみを行うことで、無線タグ装置の消費電力を抑えつつ、より早くリコール情報を受信することが可能となる。
【００５２】
（実施の形態２）
＜テーブルＤＬ＞
本発明に係る第２の実施の形態としての無線タグシステムについて説明する。以下、特に断りがない限り、実施の形態１と同様の構成については、説明を省略する。
【００５３】
図１３は、本実施の形態２における無線情報発信装置１１の構成図である。
【００５４】
無線情報発信装置１１は、実施の形態１に加えて休止テーブル保持部１１０２を備える。
【００５５】
休止テーブル保持部１１０２は、新発売された家電機器などに対応する新規の休止テーブルを保持している。
【００５６】
図１４は、本実施の形態２における無線中継装置１０の構成図である。
【００５７】
無線中継装置１０は、実施の形態１に加えてテーブル管理部１００５を備える。
【００５８】
テーブル管理部１００５は、新規の休止テーブルを取得して、テーブル保持部１００３へ保存する。
【００５９】
無線情報発信装置１１の送信部１１００は、テーブル保持部１１０２が保持している新規の休止テーブルをテーブル情報として無線１２で送信する。
【００６０】
無線中継装置１０の送受信部１０００は、テーブル情報を受信し、テーブル管理部１００５は、新規の休止テーブルを取得して、休止テーブル保持部１００３を更新する。
【００６１】
以上のように、本実施の形態２により、新発売の家電機器製品に対しても、無線中継装置１０が新規に休止テーブルを取得することで、適切な休止時間、キャリアセンス回数を設定することが可能となる。
【００６２】
（実施の形態３）
＜リコール情報のランク付け＞
本発明に係る第３の実施の形態としての無線タグシステムについて説明する。以下、特に断りがない限り、実施の形態１と同様の構成については、説明を省略する。
【００６３】
図１５は、本実施の形態３における無線情報発信装置１１の構成図である。無線情報発信装置１１は、実施の形態１に加えて重要度管理部１１０３を保持する。重要度管理部１１０３は、リコール情報に重要度を付与する。
【００６４】
図１６は、本実施の形態３における無線タグ装置５の構成図である。無線タグ装置５は、実施の形態１に加えて重要度解析部５０７を保持する。重要度解析部５０７は、受信した重要度に応じて、ユーザへの通知方法を決定する。
【００６５】
無線情報発信装置１１の重要度管理部１１０３は、リコール情報に重要度を付与して、送信部１１００は、無線１２でリコール情報と、リコール情報の重要度合いを示す重要度を送信する。重要度の例として、「注意」「警告」「緊急停止」の３レベルがあるとする。また、「緊急停止」を０ｘ０１、「警告」を０ｘ０２、「注意」を０ｘ０３と規定する。送信部１１００が送信するリコール情報と重要度のフレーム例を図１７に示す。型番１０７、リコール情報１０８は、図６の型番１０７、リコール情報１０８と同様である。重要度１０９には、リコール情報１０８の重要度「注意」を示す“０ｘ０３”が格納されている。
【００６６】
無線中継装置１０は、リコール情報と重要度を受信すると、無線８でリコール情報と重要度を送信する。
【００６７】
無線タグ装置５の送受信部５００が、リコール情報と重要度を受信すると、重要度解析部５０７がリコール情報の重要度を判定する。例えば、重要度が「注意」の場合は、タグ装置５の告知部５０６がＬＥＤを点灯させる。「警告」の場合は、告知部５０６が音声で通知する。「緊急停止」の場合は、非常時通電家電２の動作を停止させる。
【００６８】
また、重要度が「注意」の場合は、現時点では、非常時通電家電２の動作に問題はないが、今後「警告」「緊急停止」レベルのリコール情報が発生する可能性があるため、その場合のリコール情報を早く受信するため、休止時間調整部５０１は休止時間を短縮し、キャリアセンス調整部５０２はキャリアセンス回数を増やすなどすることができる。
【００６９】
以上のように、本実施の形態３により、リコール情報の内容にからユーザへの通知方法を決定することができる。
【００７０】
（実施の形態４）
＜上りシーケンス＞
本発明に係る第４の実施の形態としての無線タグシステムについて説明する。以下、特に断りがない限り、実施の形態１と同様の構成については、説明を省略する。
【００７１】
図１８は、本実施の形態４における無線中継装置１０の構成図である。無線中継装置１０は、実施の形態１の構成に加えてシリアルナンバー記録部１００６を保持する。シリアルナンバー記録部１００６は、受信した送信要求情報に含まれる無線タグ装置５、６、７のシリアルナンバーを記録する。
【００７２】
図１９は、本実施の形態４における無線情報発信装置１１の構成図である。無線情報発信装置１１は、実施の形態１の送信部１１００に変わり送受信部１１０４を保持する。また、実施の形態１に加えてリコール応答情報処理部１１０５を保持する。送受信部１１０４は、リコール情報を無線１２で送信し、その応答であるリコール応答情報を受信する。リコール応答情報処理部１１０５は、受信したリコール応答情報を記録、処理する。
【００７３】
無線タグ装置５は、送信要求情報を送信する。無線タグ装置が送信する送信要求情報のフレーム例を図２０に示す。図３の型番１００に加えて、シリアルナンバー１１０を格納する。ここでは、無線タグ装置５のシリアルナンバーを“０ｘ０００１”とする。このシリアルナンバーは、無線タグ装置毎に固有の値である。
【００７４】
無線中継装置１０の送受信部１０００が無線８で無線タグ装置５から送信要求情報を受信すると、型番記録部１００６は、型番に加えて送信要求情報に含まれるシリアルナンバーを記録する。シリアルナンバー記録部１００６は、図２０の型番１００とシリアルナンバー１１０である“０ｘＡ００１０００１”を記録する。
【００７５】
無線情報発信装置１１は、リコール情報を送信する。無線情報発信装置１１が送信するリコール情報のフレーム例は図６と同様である。尚、図６の型番１０７に加えて、シリアルナンバーの範囲などを加えてもよい。
【００７６】
無線中継装置１０の送受信部１０００は、無線１２からリコール情報を受信すると、シリアルナンバー記録部１００６が、リコール情報に含まれる型番１０７と、記録している型番１００を照合して、合致する場合は、リコール応答情報を送信する。無線タグ装置５に対するリコール情報であるとすると、シリアルナンバー記録部１００６が保持している無線タグ装置５の型番１００の“０ｘＡ００１”と、図６のリコール情報に含まれる型番１０７の“０ｘＡ００１”は一致するため、送受信部１０００は、リコール応答情報を無線１２で無線情報発信装置１１へ送信する。リコール応答情報のフレーム例を図２１に示す。型番１１１は、無線タグ装置５の型番“０ｘＡ００１”が、シリアルナンバー１１２には、無線タグ装置５のシリアルナンバー“０ｘ０００１”が格納される。
【００７７】
無線情報発信装置１１の送受信部１１０４は、リコール応答情報を受信し、リコール応答情報処理部１１０５が記録、処理する。画面に表示するなどしてもよい。
【００７８】
以上のように、本実施の形態４により、無線情報発信装置１１がリコール応答情報を受信し、記録することでリコール対象家電の存在を確認することができる。
【００７９】
（実施の形態５）
＜マルチホップ、自宅の常時家電以外からのリコール情報をReject＞
本発明に係る第５の実施の形態としての無線タグシステムについて説明する。以下、特に断りがない限り、実施の形態１と同様の構成については、説明を省略する。
【００８０】
図２２は、本実施の形態５における無線タグシステムの構成図である。図１の構成に加えて、家１３、常時通電家電１４、無線中継装置１５、非常時通電家電１６、無線タグ装置１７から成る。
【００８１】
無線中継装置１０と無線中継装置１５は同様の機能を有する。無線タグ装置５、６、７と無線タグ装置１７は同様の機能を有する。
【００８２】
無線中継装置１０は、無線情報発信装置１１が発する無線１２が届く範囲に存在するが、無線中継装置１５は、無線情報発信装置１１が発する無線１２は届かないが、無線中継装置１０が発する無線８は届くエリアに存在するとする。
【００８３】
図２３は、本実施の形態５における無線タグ装置１７の構成図である。無線タグ装置１７は、実施の形態１に加えてシリアルナンバー記録部５０８を保持する。シリアルナンバー記録部５０８は、受信した応答情報から無線中継装置のシリアルナンバーを記録する。
【００８４】
図２４は、本実施の形態５における無線中継装置１５の構成図である。無線中継装置１５は、実施の形態１に加えてシリアルナンバー保持部１００７を保持する。シリアルナンバー保持部１００７は、自身の型番とシリアルナンバーを保持している。ここでは、無線中継装置１５の型番を“０ｘＢ００１”、シリアルナンバーを“０００１”とする。
【００８５】
無線中継装置１５の送受信部１０００が送信要求情報を受信すると、休止時間、キャリアセンス回数に加えてシリアルナンバー保持部１００７が保持している自身の型番とシリアルナンバーを応答情報として無線８で送信する。無線中継装置１５が送信する応答情報の例を図２５に示す。休止時間１０５、キャリアセンス回数１０６は、実施の形態１の図５と同様である。型番１１３には、無線中継装置１５の型番である“０ｘＢ００１”が、シリアルナンバー１１４には無線中継装置１５のシリアルナンバーである“０ｘ０００１”が格納される。
【００８６】
無線タグ装置１７の送受信部５００が応答情報を受信すると、シリアルナンバー記録部５０８は、応答情報に含まれる型番１１３とシリアルナンバー１１４を記録する。
【００８７】
リコール情報が発生した時に、無線中継装置１５の送受信部１０００は、他の無線中継装置１０が送信したリコール情報を受信する。送受信部１０００は、リコール情報と自身の型番とシリアルナンバーを無線８で送信する。図２６に、送信するリコール情報のフレーム例を示す。型番１０７と、異常コード１０８は実施の形態１の図６と同様である。型番１１５には無線中継装置１５の型番である“０ｘＢ００１”が、シリアルナンバー１１６には無線中継装置１５のシリアルナンバーである“０ｘ０００１”が含まれる。
【００８８】
無線タグ装置１７の送受信部５００がリコール情報を受信すると、型番記録部５０８は、記録している無線中継装置１５の型番１１３、シリアルナンバー１１４と、リコール情報に含まれる型番１１５、シリアルナンバー１１６を照合し、合致した場合はユーザへ通知し、合致しない場合は破棄する。
【００８９】
以上のように、本実施の形態５により、無線情報発信装置１１が発信する電波が届かないエリアにある無線中継装置１５であっても、他の無線中継装置１０からの電波を受信することで、リコール情報を無線タグ装置１７へ送信することが可能となる。
【００９０】
（作用効果）
以上の説明のように、本実施の形態１〜５に係る無線タグシステムにおいて、無線タグ装置がスリープ時間中にキャリアセンスのみを行うことで、消費電力を抑えつつ、より早くリコール情報を受信できる。
【００９１】
尚、常時通電家電９の例として冷蔵庫を上げたが、他の家電機器であってもよい。
【００９２】
尚、無線８、及び１２の例として４００ＭＨｚ帯の特定小電力無線や、２．４ＧＨｚ、５ＧＨｚ帯の無線ＬＡＮを上げたが、他の周波数帯であってもよい。
【００９３】
尚、非常時通電家電２、３、４の例として扇風機、ドライヤー、電気ストーブの例を上げたが、他の家電機器であってもよい。
【００９４】
尚、無線タグ装置５、６、７、１７を識別する識別子として型番を上げたが、機種を特定できる他の識別子であってもよい。
【００９５】
尚、無線タグ装置５、６、７、１７の型番は、ロット番号など、同機種でも製造時期によって異なる識別子が付与されるものであってもよい。
【００９６】
尚、無線タグ装置５、６、７、１７及び、無線中継装置１０、１５のシリアルナンバーは、製造番号など、装置固有の他の識別子であってもよい。
【００９７】
尚、無線中継装置１０が無線タグ装置５の稼働時間と休止テーブルから休止時間、キャリアセンス回数を算出しているが、無線タグ装置５がテーブルを保持し、自身の稼動時間から休止時間、キャリアセンス回数を算出してもよい。
【００９８】
尚、無線中継装置１０は稼働時間と休止テーブルから休止時間、キャリアセンス回数を算出しているが、稼働時間は、他の尺度、例えば、部品の総負荷などであってもよい。
【産業上の利用可能性】
【００９９】
本発明にかかる無線タグシステムは、家電のリコール情報通知に限らず、センサやＩＣタグを用いた物流、交通、教育など、様々なサービスに有用である。
【図面の簡単な説明】
【０１００】
【図１】実施の形態１に係る無線タグシステムの応用例
【図２】実施の形態１に係る無線タグシステムのシーケンス図
【図３】実施の形態１に係る送信要求情報のフレーム例
【図４】実施の形態１に係る休止テーブルの例
【図５】実施の形態１に係る応答情報のフレーム例
【図６】実施の形態１に係るリコール情報のフレーム例
【図７】実施の形態１に係る無線タグ装置の構成図
【図８】実施の形態１に係る無線タグ装置のフローチャート
【図９】実施の形態１に係る無線中継装置の構成図
【図１０】実施の形態１に係る無線中継装置のフローチャート
【図１１】実施の形態１に係る無線情報発信装置の構成図
【図１２】実施の形態１に係る無線情報発信装置のフローチャート
【図１３】実施の形態２に係る無線情報発信装置の構成図
【図１４】実施の形態２に係る無線中継装置の構成図
【図１５】実施の形態３に係る無線情報発信装置の構成図
【図１６】実施の形態３に係る無線タグ装置の構成図
【図１７】実施の形態３に係るリコール情報のフレーム例
【図１８】実施の形態４に係る無線中継装置の構成図
【図１９】実施の形態４に係る無線情報発信装置の構成図
【図２０】実施の形態４に係る送信要求情報のフレーム例
【図２１】実施の形態４に係るリコール応答情報のフレーム例
【図２２】実施の形態５に係る無線タグシステムの応用例
【図２３】実施の形態５に係る無線タグ装置の構成図
【図２４】実施の形態５に係る無線中継装置の構成図
【図２５】実施の形態５に係る応答情報のフレーム例
【図２６】実施の形態５に係るリコール情報のフレーム例
【符号の説明】
【０１０１】
１、１３  家
２、３、４、１６  非常時通電家電
５、６、７、１７  無線タグ装置
８、１２  無線
９、１４  常時通電家電
１０、１５  無線中継装置
１１  無線情報発信装置
１００、１０７、１１１  無線タグ装置の型番
１０１、１０２  稼働時間
１０３、１０５  休止時間
１０４、１０６  キャリアセンス回数
１０８  異常コード
１０９  重要度
１１０、１１２  無線タグ装置のシリアルナンバー
１１３、１１５  無線中継装置の型番
１１４、１１６  無線中継装置のシリアルナンバー
５００  送受信部
５０１  休止時間調整部
５０２  キャリアセンス調整部
５０３  リコール情報処理部
５０４  型番保持部
５０５  稼働時間保持部
５０６  告知部
５０７  重要度解析部
１０００  送受信部
１００１  休止時間算出部
１００２  リコール情報管理部
１００３  休止テーブル保持部
１００４  リコール情報管理部
１００５  テーブル管理部
１００６  型番記録部
１１００  送信部
１１０１  リコール情報保持部
１１０２  休止テーブル保持部
１１０３  重要度管理部
１１０４  送受信部
１１０５  リコール応答情報処理部
【図１】
0005144298.tif 000002
【図２】
0005144298.tif 000003
【図３】
0005144298.tif 000004
【図４】
0005144298.tif 000005
【図５】
0005144298.tif 000006
【図６】
0005144298.tif 000007
【図７】
0005144298.tif 000008
【図８】
0005144298.tif 000009
【図９】
0005144298.tif 000010
【図１０】
0005144298.tif 000011
【図１１】
0005144298.tif 000012
【図１２】
0005144298.tif 000013
【図１３】
0005144298.tif 000014
【図１４】
0005144298.tif 000015
【図１５】
0005144298.tif 000016
【図１６】
0005144298.tif 000017
【図１７】
0005144298.tif 000018
【図１８】
0005144298.tif 000019
【図１９】
0005144298.tif 000020
【図２０】
0005144298.tif 000021
【図２１】
0005144298.tif 000022
【図２２】
0005144298.tif 000023
【図２３】
0005144298.tif 000024
【図２４】
0005144298.tif 000025
【図２５】
0005144298.tif 000026
【図２６】
0005144298.tif 000027